【手続補正書】
【提出日】平成14年3月1日(2002.3.1)
【手続補正１】
【補正対象書類名】明細書
【補正対象項目名】特許請求の範囲
【補正方法】変更
【補正の内容】
【特許請求の範囲】
【請求項１】
フレキシブルな外底を備えた靴、特にサッカーブーツ、のためのスルーソール、中底または中敷として形成されるソール（１）において、
該ソールが弾性的でフレキシブルな特性を備えた材料、サンドイッチ材料および／または混合材料から形成されており、前記ソールが、踵領域（２）から足弓の領域（ウェブ領域４）に亘って足の触球の触球領域（５）にまで弾性的であるが剛性であり、これにより、これらの領域（２，４）においては、通常の負荷下では、ソールが、触球領域（５）と少なくとも僅かにシェル状の前方ソール領域（６）とにおいて、ソールの長手方向軸線に対して少なくとも横方向に、弾性的に曲がるとしてもほとんど曲がることができず、少なくとも触球領域（５）における前方ソール領域（６）と踵領域（２）とが、それぞれ両側（９，１０）において約０．５ｃｍ〜２ｃｍだけ突出させられており、これらの突出した壁部（３．９，３．１０；７．９，７．１０）の間において、それぞれの側（９，１０）に、上縁領域（３．９．１，３．１０．１；７．９．１，７．１０．１）において、少なくとも１つの完全にまたはほとんど伸長不能の引張りエレメント（１１，１２）が設けられており、これらの引張りエレメント（１１，１２）が、前記上縁領域を結合させており、さらに引張りエレメントが、特に前記上縁領域の間において自由に延びており、かつ壁部（３．９，３．１０；７．９，７．１０）に堅く結合されていることを特徴とする、ソール。
【請求項２】
フレキシブルな外底を備えた靴、特にサッカーブーツ、のためのスルーソール、中底または中敷として形成されるソール（１）において、
該ソールが弾性的でフレキシブルな特性を備えた材料、サンドイッチ材料および／または混合材料から形成されており、前記ソールが、踵領域（２）から足弓の領域（ウェブ領域４）に亘って足の触球の触球領域（５）にまで弾性的であるが剛性であり、これにより、これらの領域（２，４）においては、通常の負荷下では、ソールが、触球領域（５）および前方ソール領域（６）において、少なくともソールの長手方向軸線に対して横方向に、弾性的に曲がるとしてもほとんど曲がることができず、触球領域（５）の前方の前方ソール領域（６）と足弓の領域（４）および踵領域（２）までの触球領域の後方の領域とのそれぞれにおいて、両側（９，１０）で約０．５ｃｍ〜２ｃｍだけ突出させられており、各側における上縁領域（３．９．１，３．１０．１；７．９．１，７．１０．１）においてこれらの突出した壁部（３．９，３．１０；７．９，７．１０）の間に、少なくとも１つの完全にまたはほとんど伸長不能の引張りエレメント（１１，１２）が設けられており、これらの引張りエレメント（１１，１２）が、前記上縁領域を結合させており、これらの引張りエレメントは、特に前記上縁領域の間では自由に延びており、かつ壁部（３．９，３．１０；７．９，７．１０）に堅く結合されていることを特徴とする、ソール。
【請求項３】
前記踵領域（２）が、前記１つまたは複数の引張りエレメント（１１，１２）によって周囲を掴まれている、請求項１または２記載のソール。
【請求項４】
踵領域（２）および／または前方ソール領域（６）の突出した壁部（３．９，３．１０）が、特に側部（９，１０）において、少なくとも１つの低い区分（２０）を有しており、該低い区分において１つまたは複数の引張りエレメント（１１，１２）が自由に延びている、請求項１から３までのいずれか１項記載のソール。
【請求項５】
前記触球領域（５）の前方の前方ソール領域（６）の突出した壁部（７．９，７．１０）が、前方ソール領域（６）の残りの部分よりも高さが高い、請求項１から４までのいずれか１項記載のソール。
【請求項６】
前記前方ソール領域（６）の壁部（３．９，３．１０；７．９，７．１０）および踵（３）が、上方および外方へ角度付けられており、特に足の形状に適合されている、請求項１から５までのいずれか１項記載のソール。
【請求項７】
ソールの平面（７．１）に対する壁部（３．９，３．１０；７．９，７．１０）の外角（α）が、約４５°〜８０°である、請求項６記載のソール。
【請求項８】
前記下部ソール平面（７．１）からの壁部（３．９，３．１０；７．９，７．１０）の高さが、約０．５ｃｍ〜２ｃｍである、請求項１から７までのいずれか１項記載のソール。
【請求項９】
前記踵領域（２）と前方ソール領域（６）との間のウェブ領域（４）においてそれぞれの側に側部凹所（１４，１５）が設けられている、請求項１から８までのいずれか１項記載のソール。
【請求項１０】
前記ウェブ領域（４）の幅が、踵領域（２）の最大幅の約５分の１〜４分の３に相当する、請求項９記載のソール。
【請求項１１】
前記前方ソール領域（６）が、複数の開口（８）を有している、請求項１から１０までのいずれか１項記載のソール。
【請求項１２】
前記踵領域（２）が、踵の衝突領域に開口（３．１）を有している、請求項１から１１までのいずれか１項記載のソール。
【請求項１３】
弾性的に変形する被覆材料（１８）がソールに固定されている、特にソールにプレスされているまたはソールに糊付けされている、請求項１から１２までのいずれか１項記載のソール。
【請求項１４】
踵領域（２）に、有利には前記ソール（１）の下側（１．１）に、特に凹所（２２）または前記開口（３．１）に緩衝エレメント（２３）が設けられており、該緩衝エレメントが、ソール（１）の材料に耐久性よく結合されている、請求項１から１３までのいずれか１項記載のソール。
【請求項１５】
前記緩衝エレメント（２３）が、ハニカム構造である、請求項１４記載のソール。
【請求項１６】
周囲に延びた無端ストランドの形式の１つまたは複数の引張りエレメント（１１，１２）が、ウェブ領域（４）および／または踵領域（２）の有利には自由な領域を除いてソール（１）の上縁全体を取り囲むように延びている、請求項１から１５までのいずれか１項記載のソール。
【請求項１７】
前記１つまたは複数の引張りエレメント（１１，１２）が、場合によっては熱可塑性樹脂または熱硬化性樹脂から成る結合材料を用いてガラス繊維、炭素繊維、プラスチック繊維または紡織繊維から形成されている、請求項１から１６までのいずれか１項記載のソール。
【請求項１８】
前記１つまたは複数の引張りエレメント（１１，１２）が、ガラス、炭素、アラミド、熱可塑性樹脂または熱硬化性樹脂のうちの少なくとも１つから成る糸、繊維または繊維ストランドと、熱に曝された時に溶融して前記糸、繊維または繊維ストランドを結合させる熱可塑性樹脂または熱硬化性樹脂から成る結合材料とから成っており、前記引張りエレメントが、加熱および成形プロセスによって形成され、前記１つまたは複数の引張りエレメント（１１，１２）がソール上にまたはソール内に成形される、請求項１から１７までのいずれか１項記載のソール。
【請求項１９】
前記１つまたは複数の引張りエレメント（１１，１２）が、前記前方ソール領域（６）から、足弓の領域（４）の開始部または最大でもほぼ中間部にまで延びている、請求項１から１８までのいずれか１項記載のソール。
【請求項２０】
前記前方ソール領域（６）において、１つまたは複数の引張りエレメント（１１，１２）が、爪先の基関節から後部に向かってのみ延びている、請求項１から１９までのいずれか１項記載のソール。
【請求項２１】
前記１つまたは複数の引張りエレメント（１１，１２）が、ソール（１）上を横方向に、前記前方ソール領域（６）における一片においておよび場合によっては前記足弓領域（４）においても延びている、請求項１９または２０記載のソール。